(57)【要約】【課題】双曲線凸面鏡を用いて得られるパノラマ写真に撮影時方位を付ける。【解決手段】パノラマ写真の方位付与器はパノラマ写真撮影補助具としてカメラのレンズと同軸上に所定間隔で固定されている双曲線凸面鏡の頂部の円形平面の上側に、その中心を通り棒磁石を埋設した円形平板を回転自在に載置し、円形平板の周縁に東西南北の方位を下方に向け表示した方位表示片を下端に付けた方位用のピンを取付けてある。具体的には双曲線凸面鏡の頂部の円形平面に接しその周縁に嵌合する円形基板の中心に上方を向け固定したピンを、その中心を通り棒磁石を埋設した円形平板の中心の細孔からなる凹部に当接して円形平板の回転を自在にする。また、双曲線凸面鏡の頂部の円形平面に接しその周縁に嵌合する円形基板の上面中心の細孔からなる凹部に、その中心を通り磁石を埋設した円形平板の中心に下方を向け固定したピンを当接して円形平板の回転を自在にすることもできる。【選択図】　　　　図３
2004117410.tif 000002
【特許請求の範囲】
【請求項１】
パノラマ写真撮影補助具としてカメラのレンズと同軸上に所定間隔で固定されている双曲線凸面鏡の頂部をなす円形平面の上側に、その中心を通り棒磁石を埋設した円形平板を回転自在に載置し、円形平板の周縁に東西南北の方位を下方に向け表示した方位表示片を下端に付けた方位用のピンを取付けてあるパノラマ写真の方位付与器。
【請求項２】
双曲線凸面鏡の頂部をなす円形平面に接しその周縁に嵌合する円形基板の中心に上方を向け固定したピンを、その中心を通り棒磁石を埋設した円形平板の中心の細孔からなる凹部に当接して円形平板の回転を自在にする請求項１記載のパノラマ写真の方位付与器。
【請求項３】
双曲線凸面鏡の頂部をなす円形平面に接しその周縁に嵌合する円形基板の上面中心の細孔からなる凹部に、その中心を通り棒磁石を埋設した円形平板の中心に下方を向け固定したピンを当接して円形平板の回転を自在にする請求項１記載のパノラマ写真の方位付与器。
【発明の詳細な説明】
【０００１】
【発明の属する技術分野】
本発明はパノラマ写真の方位付与器に関する。
【０００２】
【従来の技術】
従来、パノラマ写真を撮るのに３６０度回転可能なカメラを用いるか、複数のカメラを用い視野が重なり合うように像を撮り、いずれも継ぎ合わせている。したがって、同一瞬間の画像を得ることができない。これらを改良するものとして、３６０度の視野からカメラに像を反射させるための双曲線凸面鏡を使用するパノラマ像システムが特開２０００−２０６６３５　号に提案されており、所定曲率の双曲線凸面鏡の焦点とその焦点が一致するように配置されているカメラで撮られた環状の像をコンピュータで画像処理して直線状のパノラマ写真を得ている。
【０００３】
最近、この種のものとして市販のカメラに取付けることができる補助具が市販されるようになり、簡単に３６０度方向のパノラマ写真が継ぎ目なしで撮影できるようになった。すなわち、その補助具は米国カイダン社（Ｋａｉｄａｎ　Ｉｎｃｏｒｐｏｒａｔｅｄ　）製のもので、市販のカメラのレンズと同軸上に所定間隔で固定する頂部が円形平面をなす双曲線凸面鏡を用い、撮影後、カメラがデジタルカメラの場合は得られる環状の像をそのまま、また、カメラがフィルム撮影用のカメラの場合は得られる環状の像をスキャナーを介してイメージとしてコンピュータに取込んでから、米国アイシー３６０社（Ｅｙｓｅｅ３６０，Ｉｎｃ．　）のソフト名ホトワープ（ＰｈｏｔｏＷａｒｐ　）で画像処理して画角０度から３６０度に至る直線状のパノラマ写真を得ることができる。しかしながら、得られたパノラマ写真については方位がわからないので、方位を必要とする土木関係などの分野においては不便である。
【０００４】
【発明が解決しようとする課題】
本発明は双曲線凸面鏡を用い継ぎ目なしで得られる３６０度方向のパノラマ写真に撮影時方位を付けることができるようにしたものを提供しょうとするものである。
【０００５】
【課題を解決するための手段】
ここにおいて、本発明者らはパノラマ写真撮影補助具としてカメラのレンズと同軸上に所定間隔で固定されている双曲線凸面鏡の頂部をなす円形平面の上側に、その中心を通り棒磁石を埋設した円形平板を回転自在に載置し、円形平板の周縁に東西南北の方位を下方に向け表示した方位表示片を下端に付けた方位用のピンを取付けてあるパノラマ写真の方位付与器を見出すにいたった。なお、本発明における双曲線凸面鏡には同様にパノラマ写真が撮影できる類似の凸面鏡も包含されるものとする。
【０００６】
パノラマ写真の方位付与器１の具体的なものとして、パノラマ写真撮影補助具の双曲線凸面鏡の頂部をなす円形平面に接しその周縁に嵌合する円形基板の中心に上方を向け固定したピンを、その中心を通り棒磁石を埋設した円形平板の中心の細孔からなる凹部に当接して円形平板の回転を自在にするパノラマ写真の方位付与器を見出した。
【０００７】
また、パノラマ写真撮影補助具の双曲線凸面鏡の頂部をなす円形平面に接しその周縁に嵌合する円形基板の上面中心の細孔からなる凹部に、その中心を通り棒磁石を埋設した円形平板の中心に下方を向け固定したピンを当接して円形平板の回転を自在にするパノラマ写真の方位付与器を見出した。
【０００８】
【発明の実施の形態】
市販のパノラマ写真撮影補助具１１は、図２に示すごとくカメラ９のレンズと同軸上に所定間隔で双曲線凸面鏡１１を下向きに固定して、その頂部が円形平面１２をなし、双曲線凸面鏡１１を有効に使用するため、双曲線凸面鏡１１の下端を支持する棒体を無色透明板上に固定し、無色透明板を３本の棒体を介した環状枠で水平位置にあるカメラのレンズ鏡胴に固定して使用するようになっている。
【０００９】
このパノラマ写真撮影補助具１１に組合わせて使用するパノラマ写真の方位付与器１は、パノラマ写真撮影補助具１０の双曲線凸面鏡１１の頂部をなす円形平面１２の上側に、その中心を通り棒磁石４を埋設した円形平板３を車輪等を介し回転自在に載置し、円形平板３の周縁に東西南北の方位を下方に向け表示した方位表示片７　を下端に付た方位用のピン８を取付けてある。その結果、パノラマ写真撮影時に方位の表示も撮影される。
【００１０】
パノラマ写真の方位付与器１の具体的なものとして、図３に示すごとく、パノラマ写真撮影補助具１０の双曲線凸面鏡１１の頂部をなす円形平面１２に接しその周縁に嵌合する円形基板２の中心に上方を向け固定したピン５を、その中心を通り磁石４を埋設した円形平板３の中心の細孔からなる凹部６に当接して円形平板３の回転を自在にし、円形平板３の周縁に東西南北の方位を下方に向け表示した方位表示片７を下端に付た方位用のピン８を取付けてある。ただし、図３において手前側にあるべき方位表示片７とその方位用のピン８は説明図を見やすくするため図示を省略してある。このパノラマ写真の方位付与器１が示す方位は磁針の方位と完全に一致し実用に供し得ることが確認されている。
【００１１】
ここで、円形平板３の回転を自在にするため、ピン５の長さで円形基板２と円形平板３間に間隙を設けてあり、ピン５の先端は円滑に形成しておく。また、双曲線凸面鏡１１の頂部をなす円形平面１２に円形基板２を多少緩やかに嵌めて使用しても差支えない。
【００１２】
さらに、図３に示す方位付与器１においてピン５と細孔からなる凹部６の位置を上下反対にしたものとして、パノラマ写真撮影補助具１０の双曲線凸面鏡１１の頂部をなす円形平面１２に接しその周縁に嵌合する円形基板２の上面中心の細孔からなる凹部６に、その中心を通り棒磁石４を埋設した円形平板３の中心に下方を向け固定したピン５を当接して円形平板３の回転を自在にし、円形平板３の周縁に東西南北の方位を下方に向け表示した方位表示片７　を下端に付けた方位用のピン８を取付けたものも使用することができる。すなわち、この方位付与器１が示す方位も磁針の方位と完全に一致し実用に供し得ることが確認されている。
【００１３】
なお、双曲線凸面鏡１１の頂部が円形平面をなしていないときは、双曲線凸面鏡１１の水平断面で得られる円形と同心円をなし方位付与器１に支障を与えない円形の平板を頂部に固定する必要があり、そのように作成した円形の平板は本発明における双曲線凸面鏡１１の頂部をなす円形平面１２とみなし、さらに円形基板２を兼ねることもできる。
【００１４】
図２に示すごときパノラマ写真撮影補助具１０を取付けたデジタルカメラに、図１に示すごとくパノラマ写真の方位付与器１を取付けて撮影したものを図４に示すが、方位１３を示すＥ、Ｗ、Ｓ、Ｎも撮影されている。これを所定の方式にしたがい画像処理すれば図５に示すパノラマ写真が得られ方位１３も示される。
【００１５】
【発明の効果】
本発明のパノラマ写真の方位付与器を使用することにより、得られるパノラマ写真について方位も同時に表示されるので、土木関係等の各種の分野で利用することができる。
【図面の簡単な説明】
【図１】パノラマ写真撮影補助具を取付けたカメラにパノラマ写真の方位付与器を取付けた外観図
【図２】パノラマ写真撮影補助具を取付けたカメラの外観図
【図３】実施例によるパノラマ写真の方位付与器の説明図
【図４】撮影したパノラマ写真の図
【図５】撮影したパノラマ写真を画像処理して得られるパノラマ写真の図
【符号の説明】
１　方位付与器
２　円形基板
３　円形平板
４　棒磁石
５　ピン
６　細孔からなる凹部
７　方位表示片
８　方位用のピン
９　カメラ
１０　パノラマ写真撮影補助具
１１　双曲線凸面鏡
１２　円形平面
１３　方位
【図１】
2004117410.tif 000003
【図２】
2004117410.tif 000004
【図３】
2004117410.tif 000005
【図４】
2004117410.tif 000006
【図５】
2004117410.tif 000007